(57)【要約】      （修正有）【課題】ユーザやサービスマンの装置に対する使い勝手を維持しつつ、スタンバイ時のさらなる消費電力低減を図ることが可能となる画像形成装置を提供する。【解決手段】電源接続部１１６からの出力Ｖｒは、装置のスタンバイ時に電源供給が不要なセンサ５０，５１および６０の電源として供給され、電源電圧Ｖｃは、装置のスタンバイ時に電源供給が必要なセンサ７０および７１に供給される。装置のスタンバイ時、出力Ｏｕｔ１をＬレベルにすることで、センサ５０，５１および６０への電源供給は遮断され、センサ７０および７１への電源供給のみが継続するので、スタンバイ時のさらなる消費電力低減を図ることが可能となる。【選択図】    図２
2004209932.tif 000002
【特許請求の範囲】
【請求項１】
電源と、
画像形成処理に使用する複数のセンサであって、該各センサを、当該装置のスタンバイ時には前記電源を供給しなくてもよい第１のセンサ群または当該装置のスタンバイ時でも前記電源を供給しなければならない第２のセンサ群のいずれかに分類したものと、
当該装置がスタンバイ時、前記第１のセンサ群に属する各センサに対する前記電源の供給を遮断するとともに、前記第２のセンサ群に属する各センサに対する前記電源の供給を継続するように制御する電源供給制御手段と
を有することを特徴とする画像形成装置。
【発明の詳細な説明】
【０００１】
【発明の属する技術分野】
スタンバイ時の消費電力を低減化するようにした画像形成装置に関する。
【０００２】
【従来の技術】
近年、複写機やプリンタなどの画像形成装置に対する消費電力低減要求が高まり、その実現のために各種の提案がなされている。
【０００３】
このような画像形成装置として、
ｉ）待機時にジャム検出手段への電力供給を制御することで無駄なエネルギを消費させないようにしたもの（たとえば、特許文献１参照）、
ｉｉ）付加されたユニットへ電力を供給する専用電源を制御するようにしたもの（たとえば、特許文献２参照）、
ｉｉｉ）ユニットから電力の供給が必要か否かを制御装置に報知するようにしたもの（たとえば、特許文献３参照）
などが提案されている。
【０００４】
【特許文献１】
特開２００１−２５３５９２号公報
【特許文献２】
特開２０００−２６７５１８号公報
【特許文献３】
特開２００１−１１７４３６号公報
【０００５】
【発明が解決しようとする課題】
しかし、上記従来の画像形成装置のうち、ｉ）のものでは、比較的大きな画像形成装置の場合、ジャム検出手段以外にも多くの検出手段を有し、より一層の無駄な消費電力を抑制するためには、それらへの適切な電力制御が必要となるが、スタンバイ時などでも検出機能を生かす必要のある検出手段と不要な検出手段との切り分けがこれまでなされていなかったので、さらなる電力低減を図る改良の余地が残されていた。また、このように切り分けせず、一律にプリント動作時以外に検出手段の電源供給をオフするようにした場合には、ユーザの装置に対する使い勝手が悪くなったり、サービスマンによるトラブルシューティングが困難になったりすることがある。
【０００６】
また、上記従来の画像装置のうち、ｉｉ）およびｉｉｉ）のものでは、節電モードおよびスリープモードでの電力低減に加えて、スタンバイモードでの電力低減がエネルギ消費効率向上の観点から求められている。
【０００７】
本発明は、この点に着目してなされたものであり、ユーザやサービスマンの装置に対する使い勝手を維持しつつ、スタンバイ時のさらなる消費電力低減を図ることが可能となる画像形成装置を提供することを目的とする。
【０００８】
【課題を解決するための手段】
上記目的を達成するため、請求項１に記載の画像形成装置は、電源と、画像形成処理に使用する複数のセンサであって、該各センサを、当該装置のスタンバイ時には前記電源を供給しなくてもよい第１のセンサ群または当該装置のスタンバイ時でも前記電源を供給しなければならない第２のセンサ群のいずれかに分類したものと、当該装置がスタンバイ時、前記第１のセンサ群に属する各センサに対する前記電源の供給を遮断するとともに、前記第２のセンサ群に属する各センサに対する前記電源の供給を継続するように制御する電源供給制御手段とを有することを特徴とする。
【０００９】
【発明の実施の形態】
以下、本発明の実施の形態を図面に基づいて詳細に説明する。
【００１０】
図１は、本発明の一実施の形態に係る画像形成装置を適用したフルカラープリンタの要部構成図である。なお、本実施の形態では、カラープリンタを例に挙げて説明するが、これに限らず、モノクロプリンタであってもよい。
【００１１】
画像形成部内には、像担持体としての感光体ドラム（以下、単に「感光体」という）１が設けられ、感光体１は、図示しないモータで矢印Ａの方向に回転できるようになっている。感光体１の周囲には、一次帯電器７、露光装置８、現像ユニット１３、転写装置１０およびクリーナ装置１２が配置されている。
【００１２】
現像ユニット１３は、フルカラー現像のための４台の現像装置１３Ｙ，１３Ｍ，１３Ｃおよび１３Ｋからなる。モータ４２は、現像ユニット１３を回転させるものであり、ソレノイド４３は、現像ユニット１３の位置を固定させるためのロック機構を動作させるものである。センサ６０は、回転現像ユニット１３の位置を検知する回転現像ユニットＨＰ（ホームポジション）センサである。現像装置１３Ｙ，１３Ｍ，１３Ｃおよび１３Ｋは、感光体１上の潜像をそれぞれＹ（イエロー）、Ｍ（マゼンタ）、Ｃ（シアン）、Ｋ（ブラック）のトナーで現像する。各色のトナーを現像する際には、位置固定ソレノイド４３をオンして機械的なロック機構を解除し、モータ４２の駆動によって現像ユニット１３を矢印Ｒ方向に回転させ、現像ユニット１３に敷設された、図示しない位置検出フラグを回転現像ユニットＨＰセンサ６０で検出することで、現像ユニット１３の基準位置を検出した上で、所定の回転位置まで回転させ、当該色の現像装置が感光体１に当接するように位置合わせされる。
【００１３】
感光体１上に現像された各色のトナー像は、転写装置１０によって中間転写体としてのベルト２に順次転写されて、４色のトナー像が重ね合わされる。ベルト２は、ローラ１７，１８および１９に張架されている。これらのうち、ローラ１７は、図示しない駆動源に結合されてベルト２を駆動する駆動ローラとして機能し、ローラ１８は、ベルト２の張力を調節するテンションローラとして機能し、ローラ１９は、２次転写装置としての転写ローラ２１のバックアップローラとして機能する。
【００１４】
ベルト２を挟んでローラ１７と対向する位置には、ベルトクリーナ２２が当接／離間可能に設けられていて、２次転写後のベルト２上の残留トナーがクリーナブレードで掻き落とされる。
【００１５】
記録紙カセット２３内に配置された記録紙は、リフタモータ４０の動作により、ピックアップローラ２４に当接する位置まで引き上げられる。記録紙カセット２３からピックアップローラ２４で搬送路に引き出された記録紙は、ローラ対２５および２６によってニップ部、つまり２次転写装置２１とベルト２との当接部に給送される。ベルト２上に形成されたトナー像は、このニップ部で記録紙上に転写され、定着装置５で熱定着されて装置外へ排出される。両面形成動作の場合、フラッパ３２を動作させ、搬送ローラ２７の方向へ記録紙を搬送する。搬送ローラ２８でフラッパ３３を越えるまで搬送を行った後、搬送ローラ２８を逆回転するとともにフラッパ３３を動作させることで、記録紙を搬送ローラ２９方向へ搬送し、搬送ローラ３０および３１で搬送することで、記録紙カセットからの搬送路に合流させ、１面目とは反対の面に画像形成を可能とする。
【００１６】
上記構成によるカラープリンタでは、次のようにして画像が形成される。
【００１７】
まず、帯電装置７に電圧を印加して感光体１の表面を予定の帯電部電位で一様にマイナス帯電させる。続いて、帯電された感光体１上の画像部分が予定の露光部電位になるように、レーザスキャナからなる露光装置８で露光を行い、潜像が形成される。露光装置８は、画像制御部３８で生成される画像信号に基づいて露光をオン／オフすることにより、画像に対応した潜像を形成する。
【００１８】
上記カラープリンタの画像形成タイミングは、ベルト２上の所定位置を基準とする信号ＩＴＯＰを基準に制御されている。ベルト２は、駆動ローラ１７、テンションローラ１８およびバックアップローラ１９からなるローラ類に掛け渡されていて、テンションローラ１８によって所定の張力が与えられている。駆動ローラ１７およびローラ１９の間には、基準位置を検知する反射型位置センサ３６が配置されている。
【００１９】
現像装置１３Ｙ等の現像ローラには各色毎に予め設定された現像バイアスが印加されており、前記潜像は該現像ローラの位置を通過時にトナーで現像され、トナー像として可視化される。トナー像は転写装置１０でベルト２に転写され、さらに２次転写装置２１で記録紙に転写された後、定着装置５に送給される。フルカラープリント時はベルト上で４色のトナーが重ね合わされた後、記録紙に転写される。感光体１上に残留したトナーはクリーナ装置１２で除去・回収され、最後に、感光体１は除電装置（不図示）で一様に０ボルト付近まで除電されて、次の画像形成サイクルに備える。
【００２０】
センサ５０は、記録紙カセット２３内での紙面高さを検知する紙面高さセンサであり、センサ５１〜５８は、搬送路上に配置される搬送センサであり、各ポイントでの記録紙の有無または記録紙の搬送タイミングを検知する。センサ６０は、回転現像ユニット１３の位置を検知する回転現像ユニットＨＰセンサであり、センサ７０は、記録紙カセット２３の着脱を検知するカセット着脱センサであり、センサ７１は、本体内部へのアクセスを可能とするドア４１の開閉を検知するドア開閉センサである。これらのセンサは、一般に用いられるフォトインタラプタで構成され、供給される電圧は、本体シーケンス制御で用いられているのと同様に、５Ｖまたは３．３Ｖの低圧電源出力である。
【００２１】
図２は、各センサへの電源出力を制御する制御部の概略構成を示すブロック図である。
【００２２】
同図において、制御部１０１は、装置のシーケンスを司る、図示しないＣＰＵを含む制御部であり、Ｉ／Ｏポート１０２は、ＣＰＵに接続されて入出力信号の制御を行うものである。
【００２３】
電源部１０３は、制御部１０１に電源を供給する電源部である。
【００２４】
電源接続部１１６は、ＦＥＴ１１０，トランジスタ１１１および抵抗１１３，１１４からなっている。
【００２５】
スイッチ（ＳＷ）１２１は、Ｉ／Ｏポート１０２に接続される。
【００２６】
電源部１０３から制御部１０１へは、５Ｖまたは３．３Ｖの低圧電源出力Ｖｃが供給され、ＣＰＵやＩ／Ｏポート１０２，ＦＥＴ１１０に供給される。それとともに、Ｉ／Ｏポート１０２からは出力Ｏｕｔ１が出力され、トランジスタ１１１のベース端子に供給される。
【００２７】
紙面高さセンサ５０、搬送センサ５１、回転現像ユニットＨＰセンサ６０、カセット着脱センサ７０およびドア開閉センサ７１からの検出信号は、それぞれ、信号Ｉｎ１，Ｉｎ２，Ｉｎ３，Ｉｎ４およびＩｎ５として、Ｉ／Ｏポート１０２に入力される。Ｖｃが入力されるＦＥＴ１１０は、出力Ｏｕｔ１の状態に基づいて、５Ｖまたは３．３Ｖの低圧電源出力Ｖｒのオン／オフを行う。
【００２８】
Ｖｒは、紙面高さセンサ５０、搬送センサ５１および回転現像ユニットＨＰセンサ６０の電源として供給される。
【００２９】
一方、カセット着脱センサ７０およびドア開閉センサ７１には、Ｖｃが電源として供給される。
【００３０】
ここで、搬送センサとしては、センサ５１を代表的に図示するが、センサ５１〜５８のいずれにも、Ｖｒが電源として供給される。
【００３１】
そして、出力Ｏｕｔ１による制御を行うかどうかは、ＳＷ１２１の状態によって制御される。
【００３２】
ここでは、ＳＷ１２１からの出力が“Ｈ”のときには、スタンバイ時Ｖｒの電源遮断制御あり、“Ｌ”のときには、スタンバイ時Ｖｒの電源遮断制御なしとして説明を行う。通常は電源遮断制御ありとして設定される。
【００３３】
Ｉ／Ｏポート１０２から出力され、トランジスタ１１１のベース端子に供給される出力Ｏｕｔ１がＬレベルのときに、トランジスタ１１１はオフされ、抵抗１１３，１１４によってバイアスされることで、ＦＥＴ１１０のゲート入力はＨレベルのままとなる。このとき、ＦＥＴ１１０はオフされたままであり、出力Ｖｒはオフレベルとなる。他方、出力Ｏｕｔ１がＨレベルのときは、トランジスタ１１１はオンされ、ＦＥＴ１１０のゲート入力はＬレベルのままとなる。このとき、ＦＥＴ１１０がオンすることで、出力ＶｒはＶｃとほぼ等しいオンレベルとなる。
【００３４】
電源遮断制御ありの場合における現像ユニット駆動のモータ４２、回転現像ユニットＨＰセンサ６０、ソレノイド４３のタイミングチャートを図３に示す。
【００３５】
同図（ａ）に示すように、スタンバイ状態の場合、電源制御信号Ｏｕｔ１＝Ｌであり、Ｖｒはオフレベルとなっている。画像形成が開始されると、電源制御信号Ｏｕｔ１＝Ｈ，Ｖｒはオンレベルとなる。位置固定ソレノイド４３をオンして機械的なロック機構を解除し、モータ４２の駆動によって現像ユニット１３を矢印Ｒ方向に回転させ、現像ユニット１３に敷設された、図示しない位置検出フラグを回転現像ユニットＨＰセンサ６０で検出することで、現像ユニットの基準位置を検出した上で、所定の回転位置まで回転させ、当該色の現像装置が感光体１に当接するように位置合わせされる。
【００３６】
また、同図（ｂ）に示すように、画像形成終了時には感光ドラム１に現像装置１３Ｙ，１３Ｍ，１３Ｃ，１３Ｋが当接しない退避位置に現像ユニット１３の位置を制御し、位置固定ソレノイド４３をオフさせて機械的なロック機構で現像ユニット１３の位置をロックすることで、モータ４２への電力をオフし、スタンバイ状態に遷移した時点で電源制御信号Ｏｕｔ１＝Ｌ，Ｖｒはオフレベルに制御され、画像形成動作とスタンバイ時の電力低減の両立が可能となる。
【００３７】
電源遮断制御ありの場合における、記録紙カセット部の動作についてのタイミングチャートを図４に示す。
【００３８】
同図（ａ）に示すように、スタンバイ状態の場合、電源制御信号Ｏｕｔ１＝Ｌであり，Ｖｒはオフレベルとなっている。その状態でカセットが操作者により引き出されると、電源がオフされていないカセット着脱センサ７０がカセットの着状態から脱状態への変化を出力する（時刻Ａ）。それと同時に、図示しないメカ機構によりリフト機構のロックが解除されることで、紙面高さセンサ５０の検知位置から紙がなくなっているが、紙面高さセンサ５０へは電源が供給されていないため、センサ５０の出力Ｉｎ１の状態は変わらない。操作者によりカセットが挿入されると、カセット着脱センサ７０がカセットの脱状態から着状態への変化を出力する（時刻Ｂ）。この出力を受けて制御シーケンスにより、電源制御信号Ｏｕｔ１＝Ｈとして、Ｖｒはオンレベルとなる。この時点で紙面高さセンサ５０は紙面なしを検知する（時刻Ｃ）。リフタモータを動作させ（時刻Ｄ）、紙面高さセンサ５０が紙面ありを検知した時点で（時刻Ｅ）、リフタモータ４０の動作を停止させる（時刻Ｆ）。その後、カセット抜き差しの処理が終了したことでスタンバイ状態に戻り、電源制御信号Ｏｕｔ１＝Ｌとして、Ｖｒはオフされる（時刻Ｇ）。
【００３９】
また、同図（ｂ）に示すように、画像形成動作中を含む非スタンバイ状態では、電源制御信号Ｏｕｔ１＝Ｈであり、Ｖｒはオンレベルのままである。このとき給紙動作を行い、紙面高さセンサ５０の検知位置から紙がなくなると、紙面高さセンサ５０は紙面ありから紙面なしへの変化を出力する（時刻Ｈ）。この出力を受けて制御シーケンスにより、リフタモータ４０を動作させ（時刻Ｉ）、紙面高さセンサ５０が紙面ありを検知した時点で（時刻Ｊ）、リフタモータ４０の動作を停止させる（時刻Ｋ）。
【００４０】
このような動作を行うことで、記録紙は給紙可能な紙面高さ位置に保持されているため、プリントの指示が発生した場合、時間遅れなくプリントのための給紙動作が可能となる。これにより消費電力の低減とファーストプリント時間短縮の両立が可能となる。
【００４１】
ドア開閉センサ７１に関しては、スタンバイ状態／画像形成中を含む非スタンバイ状態に関わらず、電源が通電され、ドアの開閉を検知することが必要となっているため、電圧としてＶｃを供給する。ドア開を検知した場合、装置の駆動を停止するとともに、図示しない操作部にドアが開いている旨を操作者に通知する表示を行い、ドア閉を検知した場合、電源制御信号Ｏｕｔ１＝Ｈとして必要な装置の駆動を行うとともに、図示しない操作部に現在の状態を操作者に通知する表示を行う。
【００４２】
図示していない操作部のキー入力に関しては、スタンバイ状態でのキー入力の受付は必須であるとともに、キー入力がなされたということは、次に何らかの動作指示があると判断可能であり、その時点で電源制御信号Ｏｕｔ１＝Ｈとして指示された動作を実行する。
【００４３】
一方、何らかの装置の異常が発生し、サービスマンなどがトラブルシューティングを行う場合は、ＳＷ１２１をＬレベルに切り替える。それにより、スタンバイ時およびエラーやジャムによる装置の異常停止時にも搬送センサ、位置検出などの全センサが動作可能な状態となり、トラブルシューティングの効率化が図られる。
【００４４】
図５は、制御部１０１が実行する電源供給制御処理の手順を示すフローチャートである。
【００４５】
同図において、まずＳＷ１２１のＩｎ６の状態を判断する（ステップＳ１）。電源遮断動作を行うＩｎ６＝Ｈの場合は、電源を遮断するセンサ群である第１のセンサ群からの検知結果に基づく制御を停止し（ステップＳ２）、電源遮断を行うＯｕｔ１＝Ｌとする（ステップＳ３）。
【００４６】
一方、電源遮断動作を行うＩｎ６＝Ｌの場合は、電源遮断を行わないＯｕｔ１＝Ｈとする（ステップＳ４）。
【００４７】
次に、検出可能なセンサ群からの操作指示を待ち受け（ステップＳ５）、操作指示があった場合、電源を遮断されたセンサ群である第１のセンサ群からの検知結果に基づく制御を復帰させ（ステップＳ６）、電源を通電するＯｕｔ１＝Ｈとし（ステップＳ７）、操作指示に基づく動作を行う（ステップＳ８）。
【００４８】
なお、本実施の形態では、電源遮断動作設定手段としてハードＳＷ１２１を例に挙げて説明したが、操作部からのソフトウェアによる設定手段でも同様の動作が可能である。また、操作者からの操作を検知するセンサとして、カセット着脱検知、ドア検知および操作部キーを例に挙げて説明したが、操作者からの操作を検知する手段であればこれに限るものではない。
【００４９】
次に、本発明の他の実施の形態に係る画像形成装置を説明する。
【００５０】
正常に動作が終了している場合には、全てのセンサは所定の正常な状態を検出している。そのため、待機時に検出不要なセンサへの電源遮断を行わない制御を行うのは、ジャムやエラーで装置が異常終了した場合だけに限ってもユーザやサービスマンへの不具合は発生せずに、正常時のスタンバイ中の電力低減が可能となる。
【００５１】
図６は、本実施の形態の制御部が実行する電源供給制御処理の手順を示すフローチャートである。
【００５２】
同図において、まず、電源を遮断するセンサ群である第１のセンサ群からの検知結果に基づく制御を停止し（ステップＳ１１）、電源遮断を行うＯｕｔ１＝Ｌとする（ステップＳ１２）ことで、電源遮断動作を行う。
【００５３】
次に、検出可能なセンサからの操作指示を待ち受け（ステップＳ１３）、操作指示があった場合、電源を遮断されたセンサ群である第１のセンサ群からの検知結果に基づく制御を復帰させ（ステップＳ１４）、電源を通電するＯｕｔ１＝Ｈとし（ステップＳ１５）、操作指示に基づく動作を行う（ステップＳ１６）。
【００５４】
そして、動作が正常終了したかどうか判断し（ステップＳ１７）、正常終了の場合はステップＳ１１に戻り、電源遮断動作を行う一方、異常終了した場合は、そのまま第１のセンサ群への電源を通電したままとする。
【００５５】
以下、本発明の実施態様の例を列挙する。
【００５６】
（実施態様１）  電源と、
画像形成処理に使用する複数のセンサであって、該各センサを、当該装置のスタンバイ時には前記電源を供給しなくてもよい第１のセンサ群または当該装置のスタンバイ時でも前記電源を供給しなければならない第２のセンサ群のいずれかに分類したものと、
当該装置がスタンバイ時、前記第１のセンサ群に属する各センサに対する前記電源の供給を遮断するとともに、前記第２のセンサ群に属する各センサに対する前記電源の供給を継続するように制御する電源供給制御手段と
を有することを特徴とする画像形成装置。
【００５７】
（実施態様２）  前記電源供給制御手段による制御を有効または無効に設定する設定手段をさらに有し、
前記設定手段によって有効が設定されたときには、前記電源供給制御手段による前記制御を行い、前記設定手段によって無効が設定されたときには、当該装置がスタンバイ時であっても、前記複数のセンサすべてに対して前記電源の供給を継続することを特徴とする実施態様１に記載の画像形成装置。
【００５８】
（実施態様３）  前記電源供給制御手段は、当該装置がスタンバイ時であっても、異常終了した場合には、前記複数のセンサすべてに対して前記電源の供給を継続することを特徴とする実施態様１に記載の画像形成装置。
【００５９】
（実施態様４）  前記電源供給制御手段によって、前記第１のセンサ群に属する各センサに対する前記電源の供給が遮断されたときには、当該各センサからの出力に応じた画像形成処理を行わないことを特徴とする実施態様１〜３のいずれかに記載の画像形成装置。
【００６０】
（実施態様５）  前記第１のセンサ群には、給紙搬送手段におけるジャムを検出するセンサが含まれることを特徴とする実施態様１〜４のいずれかに記載の画像形成装置。
【００６１】
（実施態様６）  前記第２のセンサ群は、操作者の操作入力を検知するセンサ群であることを特徴とする実施態様１〜５のいずれかに記載の画像形成装置。
【００６２】
（実施態様７）  前記操作者の操作入力を検知するセンサ群には、当該装置に設けられているドアの開閉を検知するもの、記録紙を収納する記録紙収納手段の着脱を検知するもの、および、操作子の操作状態を検知するものが含まれることを特徴とする実施態様６に記載の画像形成装置。
【００６３】
（実施態様８）  前記異常終了は、エラーが検出された後の終了またはジャムが検出された後の終了のいずれかを含むことを特徴とする実施態様３に記載の画像形成装置。
【００６４】
【発明の効果】
以上説明したように、本発明によれば、スタンバイ中に無駄な電力を消費していたセンサ群への電力供給を制御することで、消費電力を低減させるとともに、ユーザ操作を検知するセンサ群への電源供給は生かしたままとすることで、ユーザの使い勝手は損なわれない。
【００６５】
また、設定手段による設定に基づき、全てのセンサ群への電源供給を生かすことで、市場でのトラブルシューシングの効率化が可能となる。
【００６６】
さらに、装置が異常終了した場合のみ、全てのセンサ群への電源供給を行うことで、市場でのトラブルシューシングの効率化が可能となる。
【図面の簡単な説明】
【図１】本発明の一実施の形態に係る画像形成装置を適用したフルカラープリンタの要部構成図である。
【図２】各センサへの電源出力を制御する制御部の概略構成を示すブロック図である。
【図３】電源遮断制御ありの場合における、現像ユニット駆動のモータ、回転現像ユニットＨＰセンサおよびソレノイドのタイミングチャートを示す図である。
【図４】電源遮断制御ありの場合における、記録紙カセット部の動作についてのタイミングチャートを示す図である。
【図５】図２の制御部が実行する電源供給制御処理の手順を示すフローチャートである。
【図６】本発明の他の実施の形態に係る画像形成装置の制御部が実行する電源供給制御処理の手順を示すフローチャートである。
【符号の説明】
５０  紙面高さセンサ
５１  搬送センサ
６０  回転現像ユニットＨＰセンサ
７０  カセット着脱センサ
７１  ドア開閉センサ
１０１  制御部
１０２  Ｉ／Ｏポート
１０３  電源部
１１６  電源接続部
１２１  スイッチ
【図１】
2004209932.tif 000003
【図２】
2004209932.tif 000004
【図３】
2004209932.tif 000005
【図４】
2004209932.tif 000006
【図５】
2004209932.tif 000007
【図６】
2004209932.tif 000008